(57)【要約】【課題】蓄電池を用いた外部電源の稼働率を向上させる蓄電池管理システムを提供することを目的とする。【解決手段】ＨＥＭＳ５０は、系統電力１２等からの電力による鉛蓄電池２０の充電及び放電を制御し、温度センサ２４が検知した鉛蓄電池２０の温度が所定の高温側閾値を超えた場合は鉛蓄電池２０の充電を停止し、温度センサ２４が検知した鉛蓄電池２０の温度が所定の低温側閾値未満となった場合は鉛蓄電池２０の放電を停止する。【選択図】図１
2013226012.tif 000002
【特許請求の範囲】
【請求項１】
蓄えた電力を放電して建物に供給可能な蓄電池と、
前記蓄電池の温度を検知する温度検知手段と、
系統電力又は他の電源からの電力による前記蓄電池の充電及び前記蓄電池の放電を制御し、前記温度検知手段が検知した前記蓄電池の温度が所定の高温側閾値を超えた場合は前記蓄電池の充電を停止し、前記温度検知手段が検知した前記蓄電池の温度が所定の低温側閾値未満となった場合は前記蓄電池の放電を停止する充放電制御手段と、
を備えた蓄電池管理システム。
【請求項２】
前記充放電制御手段は、前記温度検知手段が検知した前記蓄電池の温度が前記高温側閾値以下となった場合は前記停止した前記蓄電池の充電を再開し、前記温度検知手段が検知した前記蓄電池の温度が前記低温側閾値以上となった場合は前記停止した前記蓄電池の放電を再開する請求項１に記載の蓄電池管理システム。
【請求項３】
前記温度検知手段が検知した前記蓄電池の温度が所定の低温側閾値と所定の高温側閾値との間にあるか否かを監視する監視手段をさらに備え、
前記監視手段は、前記温度検知手段が検知した前記蓄電池の温度が前記高温側閾値を超えた場合は前記蓄電池の充電を停止する指令を、前記温度検知手段が検知した前記蓄電池の温度が前記低温側閾値未満となった場合は前記蓄電池の放電を停止する指令を、前記充放電制御手段に各々送信すると共に、前記温度検知手段が検知した前記蓄電池の温度が前記高温側閾値以下となった場合は前記蓄電池の充電を再開する指令を、前記温度検知手段が検知した前記蓄電池の温度が前記低温側閾値以上となった場合は前記蓄電池の放電を再開する指令を、前記充放電制御手段に各々送信し、
前記充放電制御手段は、前記監視手段から受信した指令に基づいて前記蓄電池の充電及び放電を制御する請求項１又は２に記載の蓄電池管理システム。
【請求項４】
前記監視手段と通信可能な端末をさらに備え、
前記監視手段は、前記蓄電池の温度が前記高温側閾値を超えた場合に前記蓄電池の充電の停止を要すること、前記蓄電池の温度が前記低温側閾値未満となった場合に前記蓄電池の放電の停止を要すること、前記蓄電池の温度が前記高温側閾値以下となった場合に前記蓄電池の充電の再開が可能になったこと及び前記蓄電池の温度が前記低温側閾値以上となった場合に前記蓄電池の放電の再開が可能になったことを前記端末に通知する請求項４に記載の蓄電池管理システム。
【請求項５】
ヒートポンプ給湯器の熱交換器から排出される冷風又は空調手段から供給される冷風を導入して前記蓄電池を冷却する蓄電池冷却手段と、
前記ヒートポンプ給湯器が生成した温水、燃料電池の廃熱で生成した温水若しくは内燃機関による発電手段の廃熱で生成した温水又は前記空調手段から供給される温風によって前記蓄電池を加熱する蓄電池加熱手段と、
前記蓄電池の温度が所定の高温側閾値を超えた場合は前記蓄電池冷却手段によって前記蓄電池を冷却すると共に、前記蓄電池の温度が所定の低温側閾値未満となった場合は前記蓄電池加熱手段によって前記蓄電池を加熱する蓄電池温度制御手段と、
をさらに備えた請求項１〜４のいずれか１項に記載の蓄電池管理システム。
【請求項６】
前記他の電源は、太陽光発電手段、燃料電池及び前記内燃機関による発電手段の少なくともいずれか１つである請求項１〜５のいずれか１項に記載の蓄電池管理システム。
【発明の詳細な説明】
【技術分野】
【０００１】
本発明は、蓄電池の温度に応じて蓄電池の充電及び放電を制御する蓄電池管理システムに関する。
【背景技術】
【０００２】
系統電力、太陽光発電、燃料電池又はガスエンジンによる発電装置等から供給された電力の余剰分を蓄え、系統電力等から供給される電力が不足するような場合に、蓄えた電力を供給する蓄電池を用いた外部電源が知られている。
【０００３】
特許文献１に記載の技術では、蓄電池の温度を検出して、蓄電池の温度が高い場合又は低い場合に、蓄電池の充電及び放電を停止させることが提案されている。
【先行技術文献】
【特許文献】
【０００４】
【特許文献１】特開２０１０−２４４９１８号公報
【発明の概要】
【発明が解決しようとする課題】
【０００５】
しかしながら、特許文献１に記載の技術では、鉛蓄電池及びニッケル水素電池の充電に係る化学反応が発熱反応であり、鉛蓄電池及びニッケル水素電池の放電に係る化学反応が吸熱反応であることを考慮しておらず、蓄電池の温度が高い場合、蓄電池の温度が低い場合のいずれの場合であっても、充電と放電とを停止させるため、蓄電池を用いた外部電源の稼働率を低下させてしまうという問題点があった。
【０００６】
本発明は、上記事実を考慮して成されたもので、蓄電池を用いた外部電源の稼働率を向上させる蓄電池管理システムを提供することを目的とする。
【課題を解決するための手段】
【０００７】
上記目的を達成するために請求項１に記載の発明は、蓄えた電力を放電して建物に供給可能な蓄電池と、前記蓄電池の温度を検知する温度検知手段と、系統電力又は他の電源からの電力による前記蓄電池の充電及び前記蓄電池の放電を制御し、前記温度検知手段が検知した前記蓄電池の温度が所定の高温側閾値を超えた場合は前記蓄電池の充電を停止し、前記温度検知手段が検知した前記蓄電池の温度が所定の低温側閾値未満となった場合は前記蓄電池の放電を停止する充放電制御手段とを備えることを特徴としている。
【０００８】
充放電制御手段は、蓄電池の充電及び放電を制御する制御装置であって、例えば、建物内の給電管理及び制御を行うＨＥＭＳ（Home Energy Management System）等を用いることができる。
【０００９】
また、充放電制御手段は、蓄電池の温度が高温側閾値を超えた場合に充電を停止する。鉛蓄電池及びニッケル水素電池の充電に係る化学反応は反応熱が生じる発熱反応なので、蓄電池の温度が高い場合に充電を継続すると、蓄電池の温度をさらに上昇させてしまうからである。
【００１０】
また、充放電制御手段は、蓄電池の温度が低温側閾値未満となった場合に放電を停止する。鉛蓄電池及びニッケル水素電池の放電に係る化学反応は蓄電池の温度が低下する吸熱反応なので、蓄電池の温度が低い場合に放電を継続すると、蓄電池の温度をさらに低下させてしまうからである。
【００１１】
蓄電池の温度が高い場合でも吸熱反応に係る放電は継続でき、蓄電池の温度が低い場合でも発熱反応に係る充電は継続できる。
【００１２】
また、請求項２に記載の発明のように、前記充放電制御手段は、前記温度検知手段が検知した前記蓄電池の温度が前記高温側閾値以下となった場合は前記停止した前記蓄電池の充電を再開し、前記温度検知手段が検知した前記蓄電池の温度が前記低温側閾値以上となった場合は前記停止した前記蓄電池の放電を再開するようにしてもよい。
【００１３】
請求項２に記載の発明によれば、蓄電池の温度が高温側閾値以下となった場合に充電を、蓄電池の温度が低温側閾値以上となった場合に放電を、各々再開できる。
【００１４】
また、請求項３に記載の発明のように、前記温度検知手段が検知した前記蓄電池の温度が所定の低温側閾値と所定の高温側閾値との間にあるか否かを監視する監視手段をさらに備え、前記監視手段は、前記温度検知手段が検知した前記蓄電池の温度が前記高温側閾値を超えた場合は前記蓄電池の充電を停止する指令を、前記温度検知手段が検知した前記蓄電池の温度が前記低温側閾値未満となった場合は前記蓄電池の放電を停止する指令を、前記充放電制御手段に各々送信すると共に、前記温度検知手段が検知した前記蓄電池の温度が前記高温側閾値以下となった場合は前記蓄電池の充電を再開する指令を、前記温度検知手段が検知した前記蓄電池の温度が前記低温側閾値以上となった場合は前記蓄電池の放電を再開する指令を、前記充放電制御手段に各々送信し、前記充放電制御手段は、前記監視手段から受信した指令に基づいて前記蓄電池の充電及び放電を制御するようにしてもよい。
【００１５】
請求項３に記載の発明によれば、蓄電池の温度に基づいて、蓄電池の充電及び放電を停止するか否かを判断する監視手段を別途設けることで、充放電制御手段の負荷を低下させることができる。
【００１６】
また、請求項４に記載の発明のように、前記監視手段と通信可能な端末をさらに備え、前記監視手段は、前記蓄電池の温度が前記高温側閾値を超えた場合に前記蓄電池の充電の停止を要すること、前記蓄電池の温度が前記低温側閾値未満となった場合に前記蓄電池の放電の停止を要すること、前記蓄電池の温度が前記高温側閾値以下となった場合に前記蓄電池の充電の再開が可能になったこと及び前記蓄電池の温度が前記低温側閾値以上となった場合に前記蓄電池の放電の再開が可能になったことを前記端末に通知するようにしてもよい。これによって、屋外に居るユーザに蓄電池を用いた外部電源の稼動状況を報知できる。
【００１７】
また、請求項５に記載の発明のように、ヒートポンプ給湯器の熱交換器から排出される冷風又は空調手段から供給される冷風を導入して前記蓄電池を冷却する蓄電池冷却手段と、前記ヒートポンプ給湯器が生成した温水、燃料電池の廃熱で生成した温水若しくは内燃機関による発電手段の廃熱で生成した温水又は前記空調手段から供給される温風によって前記蓄電池を加熱する蓄電池加熱手段と、前記蓄電池の温度が所定の高温側閾値を超えた場合は前記蓄電池冷却手段によって前記蓄電池を冷却すると共に、前記蓄電池の温度が所定の低温側閾値未満となった場合は前記蓄電池加熱手段によって前記蓄電池を加熱する蓄電池温度制御手段と、をさらに備えるようにしてもよい。これによって、高温又は低温になった蓄電池を、充電又は放電が可能な温度にすることができる。
【００１８】
また、請求項６に記載の発明のように、前記他の電源は、太陽光発電手段、燃料電池及び前記内燃機関による発電手段の少なくともいずれか１つであるようにしてもよい。これによって、多彩な電源を他の電源として活用することができる。
【発明の効果】
【００１９】
以上説明したように請求項１に記載の発明によれば、蓄電池の温度が高い場合でも吸熱反応に係る放電は継続でき、蓄電池の温度が低い場合でも発熱反応に係る充電は継続できるので、蓄電池を用いた外部電源の稼働率を向上させる蓄電池管理システムを提供することができるという効果がある。
【００２０】
請求項２に記載の発明によれば、請求項２に記載の発明によれば、蓄電池の温度が高温側閾値以下となった場合に充電を、蓄電池の温度が低温側閾値以上となった場合に放電を、各々再開できるので、蓄電池を用いた外部電源の稼働率を向上させることができる。
【００２１】
請求項３に記載の発明によれば、請求項３に記載の発明によれば、蓄電池の温度に基づいて、蓄電池の充電及び放電を停止するか否かを判断する監視手段を別途設けることで、充放電制御手段の負荷を低下させることができ、蓄電池管理システムの信頼性を向上させることができるという効果がある。
【００２２】
請求項４に記載の発明によれば、屋外に居るユーザに蓄電池を用いた外部電源の稼動状況を報知でき、当該ユーザに外部電源の稼動状況をいち早く報知できるという効果がある。
【００２３】
請求項５に記載の発明によれば、高温又は低温になった蓄電池を、充電又は放電が可能な温度にすることができ、蓄電池を用いた外部電源の稼働率を向上させることができる。
【００２４】
請求項６に記載の発明によれば、多彩な電源を他の電源として活用することができ、蓄電池管理システムの信頼性を向上させることができるという効果がある。
【図面の簡単な説明】
【００２５】
【図１】本発明の実施の形態に係る蓄電池管理システムの一例を示す概略図である。
【図２】本発明の実施の形態に係る蓄電池管理システムに含まれるＨＥＭＳの概略構成を示すブロック図である。
【図３】本発明の実施の形態に係る蓄電池管理システムの温度異常の検知から充放電の停止及びユーザへの情報提供までを記した機能ブロック図である。
【図４】本発明の実施の形態に係る蓄電池管理システムの温度異常の検知から蓄電池の冷却又は加熱並びにユーザへの情報提供までを記した機能ブロック図である。
【発明を実施するための形態】
【００２６】
以下、図面を参照して本発明の実施の形態を詳細に説明する。図１は、本発明の実施の形態に係る蓄電池管理システム１００の一例を示す概略図である。なお、図１において、実線は電力が供給される電力線を示し、破線は制御に係る情報が通る情報線を示している。
【００２７】
図１では、電力会社による系統電力１２が建物１０の分電盤１４に供給されている。
【００２８】
また、分電盤１４には、太陽電池パネル１５によって発電された電力も供給されている。太陽電池パネル１５以外にも、燃料電池、ガスエンジンによる発電装置又は風力発電装置等による電力が、分電盤１４に供給されるようにしてもよい。
【００２９】
分電盤１４に供給された電力は、建物１０内の電力負荷１６Ａ、１６Ｂ及び１６Ｃに分配される。
【００３０】
また、分電盤１４には、双方向インバータ１８を介して鉛蓄電池２０が接続されており、鉛蓄電池２０は、分電盤１４に供給された電力の余剰分を充電によって蓄えることができる。
【００３１】
鉛蓄電池２０は、起電力が略２Ｖのセルを所定数組み合わせることにより、所望の電圧及び電流の電力を放電可能に構成されており、希硫酸を主成分とする電解液を含んだ所定数の各セルは電槽に一体に収められることにより、パッケージ化されている。
【００３２】
本実施の形態では、当該パッケージ化された鉛蓄電池２０は、必要とされる電圧及び電流に応じて、複数個を備えるようにしてもよい。
【００３３】
また、鉛蓄電池２０は、風雨及び直射日光を遮るための保管庫２２に収められており、鉛蓄電池２０の温度、又は保管庫２２内の温度を検知可能な温度センサ２４が保管庫２２の内部に設けられている。
【００３４】
温度センサ２４は、保管庫内の設置状況及びセンサの種類によって、検知する数値は変化し得るが、本実施の形態では、温度センサ２４が検知した温度を鉛蓄電池２０の温度とみなすものとする。
【００３５】
また、温度センサ２４には、サーミスタ、熱電対センサ又は測温抵抗体等のセンサを用いることが可能である。
【００３６】
本実施の形態では、鉛蓄電池２０を収めた保管庫２２に隣接して、エコキュート（登録商標）等のヒートポンプ給湯器２６が設けられている。
【００３７】
保管庫２２とヒートポンプ給湯器２６とは、ダクト２８によって連結されている。ダクト２８には、ヒートポンプ給湯器２６の冷媒を冷熱源とする冷風を保管庫２２の内部に供給するファン３０が設けられ、鉛蓄電池２０を冷却する必要がある場合は、ファン３０を回転させて冷風を保管庫２２の内部に送り込む。
【００３８】
また、保管庫２２の内部であって、鉛蓄電池２０の直下に相当する部分には、ヒートポンプ給湯器２６が生成した温水を貯える貯湯タンク３２から供給された温水によって鉛蓄電池２０を加熱可能な熱交換器３４が設けられている。
【００３９】
鉛蓄電池２０の温度が低下した場合は、給湯路３６に設けられている電磁弁３８を開くと共に、ポンプ４０を作動させて、熱交換器３４に温水を供給する。
【００４０】
なお、熱交換器３４の設置箇所は、鉛蓄電池２０を加熱可能であれば、鉛蓄電池２０の直下でなくてもよく、鉛蓄電池２０の側面又は上部に設置するようにしてもよい。
【００４１】
また、保管庫３３の内部に冷風を供給し、熱交換器３４に温水を供給する装置は、ヒートポンプ給湯器２６には限定されず、エアコンから供給される冷風及び温風を保管庫２２の内部に導入するようにしてもよいし、燃料電池又は内燃機関であるガスエンジンによる発電装置の廃熱で生成した温水を熱交換器３４に供給するようにしてもよい。
【００４２】
分電盤１４、双方向インバータ１８、温度センサ２４及びヒートポンプ給湯器２６には建物内の給電管理及び制御を行うＨＥＭＳ５０が接続されている。
【００４３】
ＨＥＭＳ５０は、分電盤１４に供給されている電力を監視すると共に、双方向インバータ１８が有する電圧センサ（図示せず）が検知した鉛蓄電池２０の電圧値から鉛蓄電池２０の充電量を把握し、鉛蓄電池２０の充電量が低下していると判断した場合は、分電盤１４に供給されている電力の余剰分（交流）を双方向インバータ１８によって鉛蓄電池２０の充電が可能な電圧値の直流に変換させ、当該直流で鉛蓄電池２０を充電する。
【００４４】
また、建物１０で使用する電力が系統電力１２等から供給される電力では不足する場合、又は停電によって系統電力１２からの電力供給が滞った場合には、鉛蓄電池２０が貯えている電力を、双方向インバータ１８によって、分電盤１４から電力負荷１６Ａ〜１６Ｃに供給されている交流と同じ電圧及び周波数の交流に変換して、分電盤１４に供給するようにする。
【００４５】
また、ＨＥＭＳ５０は、温度センサ２４が検知した温度により、充電中の鉛蓄電池２０の温度が高い場合には、ファン３０を作動させて、ヒートポンプ給湯器２６の冷媒を冷熱源とする冷風を保管庫２２に供給する。
【００４６】
また、放電中の鉛蓄電池２０の温度が低い場合には、熱交換器３４に貯湯タンク３２の温水を供給するようにする。
【００４７】
ＨＥＭＳ５０は、インターネット等の通信網８０を介してサーバ８２と通信が可能に構成されている。
【００４８】
サーバ８２は、温度センサ２４が検知した温度を、ＨＥＭＳ５０を介して取得可能で、取得した温度が所定の低温側閾値と所定の高温側閾値との間にあるか否かを監視することができる。
【００４９】
低温側閾値及び高温側閾値は、鉛蓄電池２０の特性によって異なるが、一例として、低温側閾値を摂氏０度、高温側閾値を摂氏４０度とすることが考えられる。
【００５０】
サーバ８２は、温度センサ２４が検知した鉛蓄電池２０の温度が高温側閾値を超えた場合は、鉛蓄電池２０の充電を停止する指令をＨＥＭＳ５０に送信する。
【００５１】
また、サーバ８２は、温度センサ２４が検知した鉛蓄電池２０の温度が低温側閾値未満となった場合は、鉛蓄電池２０の放電を停止する指令をＨＥＭＳ５０に送信する。
【００５２】
さらに、サーバ８２は、温度センサ２４が検知した鉛蓄電池２０の温度が高温側閾値以下となった場合は鉛蓄電池２０の充電を再開する指令をＨＥＭＳ５０に送信し、温度センサ２４が検知した鉛蓄電池２０の温度が低温側閾値以上となった場合は鉛蓄電池２０の放電を再開する指令をＨＥＭＳ５０に送信する。
【００５３】
ＨＥＭＳ５０は、サーバ８２ら受信した指令に基づいて鉛蓄電池２０の充電及び放電の停止及び再開を各々制御する。
【００５４】
また、サーバ８２は、無線通信が可能な通信網８４を介して、携帯情報端末８６と通信可能であってもよい。
【００５５】
携帯情報端末８６と通信可能であれば、サーバ８２は、鉛蓄電池２０の温度が高温側閾値を超えた場合に鉛蓄電池２０の充電の停止を要すること、鉛蓄電池２０の温度が低温側閾値未満となった場合に鉛蓄電池２０の放電の停止を要すること、鉛蓄電池２０の温度が高温側閾値以下となった場合に鉛蓄電池２０の充電の再開が可能になったこと及び鉛蓄電池２０の温度が低温側閾値以上となった場合に鉛蓄電池２０の放電の再開が可能になったことを携帯情報端末８６に通知することができる。
【００５６】
なお、本実施の形態では、ＨＥＭＳ５０は、通信網８０を介してサーバ８２と通信可能でなくてもよく、かかる場合では、ＨＥＭＳ５０が、温度センサ２４が検知した温度に基づいて、鉛蓄電池の充電及び放電の停止及び再開を各々判断し、制御するようにしてもよい。
【００５７】
図２は、本発明の実施の形態に係る蓄電池管理システムに含まれるＨＥＭＳ５０の概略構成を示すブロック図である。
【００５８】
ＨＥＭＳ５０は、コンピュータを含んで構成されており、図２に示すように、ＣＰＵ５６、ＲＯＭ５８、ＲＡＭ６０、及び入出力ポート６２を備えて、これらがアドレスバス、データバス、及び制御バス等のバス６４を介して互いに接続されている。
【００５９】
入出力ポート６２には、各種入出力機器として、表示部６６、操作部６８、及びメモリ７０が接続されている。なお、表示部６６及び操作部６８は一体で構成され、操作部６８は、表示部６６に設けられたタッチパネルを適用するようにしてもよいし、タッチパネルの他に操作ボタンを備えるようにしてもよい。
【００６０】
メモリ７０は、温度センサ２４が計測した温度を記憶するのみならず、電力供給に関する各種制御や表示部４６に表示するための表示制御等を行うためのプログラム、双方向インバータ１８及びヒートポンプ給湯器２６を制御するためのプログラム、並びにこれらのプログラムを実行するための各種情報等が記憶されている。
【００６１】
本実施の形態では、メモリ７０に記憶されたプログラムをＲＡＭ６０等に展開してＣＰＵ５６が実行することにより、電力供給に関する各種制御や表示制御等の制御を行うようになっている。
【００６２】
さらに、入出力ポート６２には、分電盤１４、双方向インバータ１８、温度センサ２４、ヒートポンプ給湯器２６及び通信網８０を介してサーバ８２と通信をするための通信インターフェース７８が接続されている。
【００６３】
以下、本実施の形態に係る蓄電池管理システムの動作について説明する。
【００６４】
図３は、本実施の形態に係る蓄電池管理システム１００の温度異常の検知から充放電の停止及びユーザへの情報提供までを記した機能ブロック図である。
【００６５】
まず、温度センサ３４が検知した鉛蓄電池２０の温度は、ＨＥＭＳ５０に送信される。さらにＨＥＭＳ５０は、温度センサ３４が検知した鉛蓄電池２０の温度の情報を、通信網８０を介して、サーバ８２に送信する。
【００６６】
サーバ８２では、受信した鉛蓄電池２０の温度が、高温側閾値を超えているか、又は低温側閾値未満かを判定する。
【００６７】
サーバ８２は、温度センサ２４が検知した鉛蓄電池２０の温度が高温側閾値を超えていると判定した場合、充電を停止する指令をＨＥＭＳ５０に送信する。
【００６８】
また、サーバ８２は、温度センサ２４が検知した鉛蓄電池２０の温度が低温側閾値未満であると判定した場合、放電を停止する指令をＨＥＭＳ５０に送信する。
【００６９】
ＨＥＭＳ５０は、鉛蓄電池２０が充電中にサーバ８２から充電を停止する指令を受信した場合は、受信した指令に基づき、鉛蓄電池２０の充電を停止する制御をする。
【００７０】
また、ＨＥＭＳ５０は、鉛蓄電池２０が放電中にサーバ８２から放電を停止する指令を受信した場合は、受信した指令に基づき、鉛蓄電池２０の放電を停止する制御をする。
【００７１】
さらにサーバ８２は、鉛蓄電池２０の充電又は放電の停止を要する旨を携帯情報端末８６に送信することにより、ユーザに情報を提供する。
【００７２】
なお、温度センサが検知した鉛蓄電池の温度が高温側閾値以下、又は低温側閾値以上になった場合は、サーバ８２は、鉛蓄電池２０の充電又は放電を再開する指令をＨＥＭＳ５０に送信し、ＨＥＭＳ５０はサーバ８２から受信した指令に基づいて、鉛蓄電池２０の充電又は放電を制御する。
【００７３】
続いて、本実施の形態において、鉛蓄電池２０の冷却又は加熱をする場合について説明する。図４は、本実施の形態に係る蓄電池管理システム１００の温度異常の検知から蓄電池２０の冷却又は加熱並びにユーザへの情報提供までを記した機能ブロック図である。
【００７４】
図４のうち、鉛蓄電池２０が充電中又は放電中の場合に、ＨＥＭＳ５０がサーバ８２から受信した指令に基づき、鉛蓄電池２０の充電又は放電を各々制御するところまで及び携帯情報端末８６に対して情報提供をする部分は、図３の場合と共通なので、説明を省略する。
【００７５】
サーバ８２から鉛蓄電池２０の充電又は放電を停止する指令を受信した場合、ＨＥＭＳ５０は、ヒートポンプ給湯器２６等の熱源に対して、鉛蓄電池２０を冷却又は加熱する要求を送信する。
【００７６】
例えば、サーバ８２から鉛蓄電池２０の充電を停止する指令を受信した場合は、鉛蓄電池２０の温度が高温側閾値を超えている場合であるから、ＨＥＭＳ２０は、ファン３０を回転させて保管庫２２の内部に冷風を導入するようにヒートポンプ給湯器２６等の熱源に要求する。
【００７７】
また、サーバ８２から鉛蓄電池２０の放電を停止する指令を受信した場合は、鉛蓄電池２０の温度が低温側閾値未満の場合であるから、ＨＥＭＳ５０は、電磁弁３８を開き、ポンプ４０を作動させて、貯湯タンク３２の温水を熱交換器３４に供給するようにヒートポンプ給湯器２６に要求する。
【００７８】
要求を受けたヒートポンプ給湯器２６等の熱源は、冷風又は温水を供給して、鉛蓄電池２０を冷却又は加熱するようにする。
【００７９】
なお、図４の場合も、図３の場合と同様に、温度センサが検知した鉛蓄電池の温度が高温側閾値以下、又は低温側閾値以上になった場合は、サーバ８２は、鉛蓄電池２０の充電又は放電を再開する指令をＨＥＭＳ５０に送信し、ＨＥＭＳ５０はサーバ８２から受信した指令に基づいて、鉛蓄電池２０の充電又は放電を制御する。
【００８０】
さらに、図４の場合では、ＨＥＭＳ５０は、サーバ８２から鉛蓄電池２０の充電又は放電を再開する指令を受信した場合、鉛蓄電池２０の冷却又は加熱を停止するようにヒートポンプ給湯器２６等の熱源に要求する。
【００８１】
なお、図３及び図４の場合、サーバ８２は、温度センサ２４が検知した鉛蓄電池２０の温度が、高温側閾値を超えた場合、又は低温側閾値未満となった場合であれば、鉛蓄電池２０が充電中又は放電中でなくても、鉛蓄電池２０の充電又は放電を停止する指令をＨＥＭＳ５０に送信している。
【００８２】
しかしながら、ＨＥＭＳ５０からサーバ８２に、鉛蓄電池２０が充電中又は放電中であることを通知可能であれば、サーバ８２は、温度センサ２４が検知した鉛蓄電池２０の温度が高温側閾値を超えた場合でかつ鉛蓄電池２０が充電中の場合に当該充電を停止する指令をＨＥＭＳ５０に送信し、温度センサ２４が検知した鉛蓄電池２０の温度が低温側閾値未満となった場合でかつ鉛蓄電池２０が放電中に場合に当該放電を停止する指令をＨＥＭＳ５０に送信するようにしてもよい。
【００８３】
以上説明したように、本実施の形態に係る蓄電池管理システムによれば、鉛蓄電池を用いた外部電源の稼働率を向上させると共に、鉛蓄電池の温度が適正となるように制御することができる蓄電池管理システムを提供することができる。
【００８４】
なお、本実施の形態では、鉛蓄電池について説明したが、鉛蓄電池と同様に充電が発熱反応で放電が吸熱反応であるニッケル水素電池等の他の蓄電池にも本実施の形態に係る蓄電池管理システムは適応可能である。
【符号の説明】
【００８５】
１０  建物
１２  系統電力
１５  太陽電池パネル（太陽光発電手段）
２０  鉛蓄電池（蓄電池）
２４  温度センサ（温度検知手段）
２６  ヒートポンプ給湯器
５０  ＨＥＭＳ（充放電制御手段）
８２  サーバ（監視手段）
８６  携帯情報端末（端末）
１００  蓄電池管理システム
【図１】
2013226012.tif 000003
【図２】
2013226012.tif 000004
【図３】
2013226012.tif 000005
【図４】
2013226012.tif 000006